(57)【要約】【課題】原稿の給紙中に給紙部に原稿が残っている状態で次の原稿束をジャムエラーや重送エラー等を起こすことなく給紙部に追加することができる画像読取装置を提供する。【解決手段】複数枚の原稿９０がセットされるとともに、セットされた原稿９０を給紙する給紙ローラ１０４を有する給紙部１００と、給紙部１００の原稿９０を給紙ローラ１０４に押圧する押圧部材１０１と、該押圧部材１０１が給紙部１００の原稿９０を給紙ローラ１０４に押圧しているか否かを検出する検出手段と、該検出手段による検出結果に基づいて、給紙ローラ１０４の駆動を制御する制御手段と、を備える。【選択図】図３
2010052869.tif 000002
【特許請求の範囲】
【請求項１】
複数枚の原稿がセットされるとともに、セットされた原稿を給紙する給紙ローラを有する給紙部と、
該給紙部の原稿を前記給紙ローラに押圧する押圧部材と、
該押圧部材が前記給紙部の原稿を前記給紙ローラに押圧しているか否かを検出する検出手段と、
該検出手段による検出結果に基づいて、前記給紙ローラの駆動を制御する制御手段と、を備えることを特徴とする画像読取装置。
【請求項２】
前記検出手段により前記押圧部材が前記給紙部の原稿を前記給紙ローラに押圧していないことを検出した場合に、前記制御手段は、前記給紙ローラの駆動を停止するように制御する、ことを特徴とする請求項１に記載の画像読取装置。
【請求項３】
前記検出手段の検出結果により前記給紙ローラの駆動を停止している状態で、該検出手段により前記押圧部材による原稿の押圧を検出した場合は、前記制御手段は、前記給紙ローラの駆動を再開するように制御する、ことを特徴とする請求項１又は２に記載の画像読取装置。
【請求項４】
前記押圧部材は、回動可能に設けられ、前記検出手段は、前記押圧部材の回動方向から該押圧部材が前記給紙部の原稿を前記給紙ローラに押圧しているか否かを検出する、ことを特徴とする請求項１〜３のいずれか一項に記載の画像読取装置。
【請求項５】
前記給紙ローラによって給紙された原稿を搬送路で検知する原稿検知手段を備え、前記検出手段により前記押圧部材が前記給紙部の原稿を前記給紙ローラに押圧していることを検出し、かつ前記原稿検知手段により原稿が所定時間検知されない場合に、前記制御手段は、前記給紙ローラの駆動を停止するように制御する、ことを特徴とする請求項１〜４のいずれか一項に記載の画像読取装置。
【請求項６】
予め磁気インクにより原稿に印刷されたＭＩＣＲ情報を読み取る情報読取部と、原稿の画像を読み取る画像読取部と、を備えることを特徴とする請求項１〜５のいずれか一項に記載の画像読取装置。
【請求項７】
複数枚の原稿がセットされるとともに、セットされた原稿を給紙する給紙ローラを有する給紙部と、該給紙部の原稿を前記給紙ローラに押圧する押圧部材と、を備える画像読取装置の制御方法であって、
前記押圧部材が前記給紙部の原稿を前記給紙ローラに押圧しているか否かを判断する判断ステップと、
該判断ステップで判断した結果に基づいて、前記給紙ローラの駆動を制御する制御ステップと、を備えることを特徴とする画像読取装置の制御方法。
【発明の詳細な説明】
【技術分野】
【０００１】
本発明は、給紙部にセットされた複数枚の原稿を一枚ずつ搬送路に給送して画像を読み取る画像読取装置及び画像読取装置の制御方法に関する。
【背景技術】
【０００２】
小切手等の原稿に磁気インクによって印刷されているＭＩＣＲ情報を磁気的に読み取り、読み取った情報に応じて処理を行う画像読取装置がある（特許文献１）。
【０００３】
この種の画像読取装置には、銀行の窓口に設置される数枚の原稿を読み取ることを目的とした小型のものと、集められた多量の原稿を高速に読み取ることを目的とした中型／大型のものがある。
【０００４】
いずれの画像読取装置の場合も、給紙部にセットされた原稿束を押圧板によって給紙ローラに押圧し、この状態で給紙ローラを駆動することにより、給紙ローラと原稿との静止摩擦を利用して原稿を給紙する。
【特許文献１】特開２００４−２０６３６２号公報
【発明の開示】
【発明が解決しようとする課題】
【０００５】
上記従来の画像読取装置では、給紙部にセットされた原稿束がなくなった後に次の原稿束を給紙部にセットし、読取処理を再開しているが、作業効率を高めるには、原稿の給紙中に給紙部に原稿が残っている状態で次の原稿束を給紙部に追加できることが好ましい。
【０００６】
この場合、図８（ａ）に示すように、原稿の給紙中に、原稿束を給紙ローラ１０４に押圧している押圧板１０１を、図８（ｂ）に示すように、該原稿束から離間させ、原稿束の最終紙と押圧板１０１との間に次の原稿束を挿入して追加する必要がある。
【０００７】
しかし、原稿の給紙中に押圧板１０１を原稿束から離間させて押圧を解除すると、原稿束の原稿と給紙ローラ１０４との当接が不安定になり、正常な給紙ができなくなってジャムエラーや重送エラーの原因となる。
【０００８】
そこで、本発明は、原稿の給紙中に給紙部に原稿が残っている状態で次の原稿束をジャムエラーや重送エラー等を起こすことなく給紙部に追加することができる画像読取装置及び画像読取装置の制御方法を提供することを目的とする。
【課題を解決するための手段】
【０００９】
上記目的を達成するために、本発明の画像読取装置は、複数枚の原稿がセットされるとともに、セットされた原稿を給紙する給紙ローラを有する給紙部と、該給紙部の原稿を前記給紙ローラに押圧する押圧部材と、該押圧部材が前記給紙部の原稿を前記給紙ローラに押圧しているか否かを検出する検出手段と、該検出手段による検出結果に基づいて、前記給紙ローラの駆動を制御する制御手段と、を備えることを特徴とする。
【００１０】
本発明の画像読取装置の制御方法は、複数枚の原稿がセットされるとともに、セットされた原稿を給紙する給紙ローラを有する給紙部と、該給紙部の原稿を前記給紙ローラに押圧する押圧部材と、を備える画像読取装置の制御方法であって、前記押圧部材が前記給紙部の原稿を前記給紙ローラに押圧しているか否かを判断する判断ステップと、該判断ステップで判断した結果に基づいて、前記給紙ローラの駆動を制御する制御ステップと、を備えることを特徴とする。
【発明の効果】
【００１１】
本発明によれば、原稿の給紙中に給紙部に原稿が残っている状態で次の原稿束をジャムエラーや重送エラー等を起こすことなく給紙部に追加することができるので、作業効率を向上させることができる。
【発明を実施するための最良の形態】
【００１２】
以下、本発明の実施形態の一例を図面を参照して説明する。
【００１３】
図１は、本発明の実施形態の一例である画像読取装置を説明するための斜視図である。
【００１４】
図１に示すように、本実施形態の画像読取装置３００は、通信ケーブル３０２等を介してホストコンピュータ３０１に接続される。
【００１５】
画像読取装置３００は、図２に示す原稿９０が複数枚セットされるとともに、セットされた原稿９０を給紙する給紙ローラ１０４を有する給紙部１００と、原稿９０を排紙する第１排紙部１０２及び第２排紙部１０３とを備える。原稿９０には、図２に示すように、ＭＩＣＲ情報９１が印字されている。
【００１６】
図３は、画像読取装置３００の内部構造を説明するための概略断面図である。
【００１７】
図３に示すように、給紙部１００にセットされた原稿９０の束（以下、原稿束という）は、押圧板（押圧部材）１０１によって給紙ローラ１０４に押圧され、給紙ローラ１０４に当接する原稿９０が該給紙ローラ１０４の駆動により給送ローラ１０５側に給紙される。
【００１８】
押圧板１０１は、装置本体に回動可能に支持されており、図７に示すように、バネ１１１により給紙ローラ１０４側に付勢され、この付勢力により原稿束を給紙ローラ１０４側に押圧するようになっている。
【００１９】
給送ローラ１０５側に給紙された原稿９０は、給送ローラ１０５によって搬送されつつ、重送の場合は分離ローラ１０７によって一枚ずつに分離されて搬送路１１０に給送される。
【００２０】
搬送路１１０には、原稿９０を検知するレジストセンサ（原稿検知手段）１１２、原稿９０のＭＩＣＲ情報９１を読み取る情報読取部１０６、及び原稿９０の画像を読み取る画像読取部１０８が上流側から下流側に向けて順番に配置されている。
【００２１】
情報読取部１０６で読み取られたＭＩＣＲ情報９１及び画像読取部１０８で読み取られた画像情報は、通信ケーブル３０２等を介してホストコンピュータ３０１に送信される。
【００２２】
ホストコンピュータ３０１は、受信したＭＩＣＲ情報９０及び画像情報を解析し、解析結果に基づいて画像読取装置３００に対して原稿９０の排紙先の指示情報を通信ケーブル３０２等を介して送信する。
【００２３】
そして、画像読取装置３００は、受信した排紙先の指示情報に従って、原稿９０を第１排紙部１０２又は第２排紙部１０３へ排紙するように不図示の切替フラッパや対応する搬送ローラを駆動する。
【００２４】
図４は、画像読取装置３００の制御系を示すブロック図である。
【００２５】
図４に示すように、画像読取装置３００の制御系は、ＣＰＵ５００、押圧検出部５０１、給紙制御部５０２、給送制御部５０３、画像読取制御部５０４、情報読取制御部５０５、搬送制御部５０６、及び通信制御部５０７を有する。
【００２６】
押圧検出部５０１は、給紙部１００にセットされた原稿束が押圧板１０１によって給紙ローラ１０４に押圧されているか否かを検出し、検出情報をＣＰＵ５００に出力する。給紙制御部５０２は、ＣＰＵ５００の指示により、給紙ローラ１０４の駆動系を制御する。
【００２７】
給送制御部５０３は、ＣＰＵ５００の指示により、給送ローラ１０５及び分離ローラ１０７の駆動系を制御する。画像読取制御部５０４は、ＣＰＵ５００の指示により、画像読取部１０８の動作を制御する。情報読取制御部５０５は、ＣＰＵ５００の指示により、情報読取部１０６の動作を制御する。
【００２８】
搬送制御部５０６は、ＣＰＵ５００の指示により、搬送路１１０に配置された複数の搬送ローラ対の駆動系や切替フラッパの駆動系を制御する。通信制御部５０７は、ＣＰＵ５００の指示により、通信ケーブル３０２等を介してホストコンピュータ３０１との間で送受信を行う。
【００２９】
次に、図５を参照して、本実施形態の画像読取装置の動作例について説明する。なお、図５での各処理は、不図示のＲＯＭ等に記憶されたプログラムが不図示のＲＡＭにロードされて、ＣＰＵ５００により実行される。
【００３０】
ステップＳ２００では、ＣＰＵ５００は、ホストコンピュータ３０１から画像読取の指示情報を受信すると、ステップＳ２０１に進む。
【００３１】
ステップＳ２０１では、ＣＰＵ５００は、不図示の原稿検知センサからの信号に基づいて、給紙部１００に原稿９０がセットされているか否かを判断する。
【００３２】
そして、ＣＰＵ５００は、原稿９０がセットされていない場合は、ステップＳ２０９に進み、原稿９０がセットされている場合は、ステップＳ２０２に進む。
【００３３】
ステップＳ２０９では、ＣＰＵ５００は、原稿９０の給紙のための給紙動作が開始されていない場合は、給紙動作を行うことなく処理を終了し、既に給紙動作が行われている場合は、給紙制御部５０２を制御して給紙ローラ１０４の駆動を停止し、処理を終了する。
【００３４】
ステップＳ２０２では、ＣＰＵ５００は、押圧検出部５０１の検出情報に基づいて、給紙部１００にセットされた原稿束が押圧板１０１によって給紙ローラ１０４に押圧されているか否かを判断する。
【００３５】
ここで、図６は、給紙部１００にセットされた原稿束が、押圧板１０１によって給紙ローラ１０４に押圧されている状態から押圧されていない状態になったときを示す図である。
【００３６】
押圧検出部５０１は、一例としてロータリーエンコーダを例示しており、回動だけでなく押圧板１０１の回動方向を検出可能であり、押圧板１０１の回動支点近傍に配置されている。
【００３７】
そして、押圧板１０１が図６の状態から矢印Ａと逆の方向に回動したことを押圧検出部５０１の検出結果に基づいて検出すると、ＣＰＵ５００は、給紙部１００の原稿束が押圧板１０１により給紙ローラ１０４に押圧されていると判断し、ステップＳ２０３に進む。
【００３８】
一方、図６の状態のように、押圧板１０１が矢印Ａ方向に回動したことを押圧検出部５０１が検出すると、ＣＰＵ５００は、該検出結果に基づいて、押圧板１０１による原稿束の押圧が解除されたと判断し、ステップＳ２０８に進む。なお、押圧板１０１の矢印Ａ方向への回動の有無ではなく、所定量以上の回動や所定位置を越える回動を検出してもよく、また、それらのいずれかと上記矢印Ａ方向への回動の有無の検出とを組み合わせて押圧解除の判断を行ってもよい。
【００３９】
ステップＳ２０８では、ＣＰＵ５００は、原稿９０の給紙が開始されていない場合は、給紙動作を行うことなく、ステップＳ２０１に戻る。
【００４０】
また、ＣＰＵ５００は、既に原稿９０の給紙が行われている場合は、給紙制御部５０２を制御して、給紙ローラ１０４の駆動を停止し、ステップＳ２０１に戻る。
【００４１】
これにより、原稿９０の給紙中において給紙部１００に原稿が残っている状態であっても、次の原稿束をジャムエラーや重送エラー等を起こすことなく給紙部１００に追加することができる。
【００４２】
ステップＳ２０３では、ＣＰＵ５００は、原稿９０の給紙が開始されていない場合は、給紙制御部５０２を制御して、給紙ローラ１０４を駆動し、給紙部１００にセットされた原稿９０を給送ローラ１０５側に給紙する。
【００４３】
また、ＣＰＵ５００は、給送制御部５０３を制御して、給送ローラ１０５及び分離ローラ１０７を駆動し、給紙された原稿９０を給送ローラ１０５によって搬送しつつ、重送の場合は分離ローラ１０７によって一枚ずつに分離して搬送路１１０に給送する。
【００４４】
なお、ステップＳ２０３において、既に原稿９０の給紙が開始されている場合は、ＣＰＵ５００は、給紙動作及び給送動作を継続する。
【００４５】
次に、ステップＳ２０４では、ＣＰＵ５００は、レジストセンサ１１２からの信号を基に、原稿が情報読取部１０６に到達するまでの時間を算出する。
【００４６】
具体的には、ＣＰＵ５００は、レジストセンサ１１２と情報読取部１０６との間の距離をＬ１、原稿９０の搬送速度をｖとして、原稿９０が情報読取部１０６に到達するまでの時間Ｌ１／ｖを算出する。
【００４７】
そして、ＣＰＵ５００は、不図示のタイマにより時間を測定し、レジストセンサ１１２が原稿９０を検知してからＬ１／ｖ後に情報読取部１０６で原稿９０のＭＩＣＲ情報９１の読取を開始するように情報読取制御部５０５を制御して、ステップＳ２０５に進む。
【００４８】
ステップＳ２０５では、ＣＰＵ５００は、レジストセンサ１１２からの信号を基に、原稿が画像読取部１０８に到達するまでの時間を算出する。
【００４９】
具体的には、ＣＰＵ５００は、レジストセンサ１１２と画像読取部１０８との間の距離をＬ２、原稿９０の搬送速度をｖとして、原稿９０が画像読取部１０８に到達するまでの時間Ｌ２／ｖを算出する。
【００５０】
そして、ＣＰＵ５００は、不図示のタイマにより時間を測定し、レジストセンサ１１２が原稿９０を検知してからＬ２／ｖ後に画像読取部１０８で原稿９０の画像の読取を開始するように画像読取制御部５０４を制御して、ステップＳ２０６に進む。
【００５１】
ステップＳ２０６では、ＣＰＵ５００は、ステップＳ２０４で取得したＭＩＣＲ情報９１及びステップＳ２０５で取得した画像情報をホストコンピュータ３０１へ送信し、ステップＳ２０７に進む。
【００５２】
ここで、ホストコンピュータ３０１は、受信したＭＩＣＲ情報９１及び画像情報を用いて、原稿９０の排紙先を判定し、判定結果を画像読取装置３００に送信する。
【００５３】
ステップＳ２０７では、ＣＰＵ５００は、受信した原稿９０の排紙先の判定結果に基づいて、原稿９０を第１排紙部１０２又は第２排紙部１０３へ排紙するように、搬送制御部５０６を制御して、不図示の切替フラッパや搬送ローラを駆動し、処理を終了する。
【００５４】
なお、本実施形態では、原稿９０の排紙先の判定処理をホストコンピュータ３０１側で行っているが、画像読取装置３００側で行うようにしてもよい。
【００５５】
以上説明したように、本実施形態では、原稿９０の給紙中に給紙部１００に原稿が残っている状態で次の原稿束をジャムエラーや重送エラー等を起こすことなく給紙部１００に追加することができる。これにより、オペレータの操作性が向上して作業効率を高めることができる。
【００５６】
なお、本発明は、上記実施形態に例示したものに限定されるものではなく、本発明の要旨を逸脱しない範囲において適宜変更可能である。
【００５７】
例えば、上記実施形態では、押圧板１０１の回動方向を検出する押圧検出部５０１を例示したが、これに限定されず、例えば、押圧検出部としてマイクロスイッチ、光学センサ、圧電素子等の押圧センサを用いてもよい。また、押圧板は、回動ではなくスライドする構造でもよく、更には、押圧板と原稿との接触部にマイクロスイッチ、光学センサ、押圧センサを設けてもよい。
【００５８】
マイクロスイッチ等を用いた場合、ＣＰＵ５００は、押圧スイッチのＯＮ／ＯＦＦ情報に基づいて、給紙部１００にセットされた原稿束が押圧板１０１によって給紙ローラ１０４に押圧されているか否かを判断する。
【００５９】
また、押圧板１０１が原稿束を給紙ローラ１０４に押圧している状態で、レジストセンサ１１２が原稿９０を所定時間検知しない場合は、ジャムエラー等が発生しているものと判断して、給紙動作を停止するようにしてもよい。
【００６０】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６１】
この場合、記憶媒体から読み出されたプログラムコード自体が前述した実施の形態の機能を実現することになり、そのプログラムコード及び該プログラムコードを記憶した記憶媒体は本発明を構成することになる。
【００６２】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６３】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６４】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６５】
【図１】本発明の実施形態の一例である画像読取装置を説明するための斜視図である。
【図２】ＭＩＣＲ情報が印字された原稿の一例を示す図である。
【図３】画像読取装置の内部構造を説明するための概略断面図である。
【図４】画像読取装置の制御系を説明するためのブロック図である。
【図５】画像読取装置の動作例を説明するためのフローチャート図である。
【図６】給紙部にセットされた原稿束が押圧板によって給紙ローラに押圧されている状態を示す図である。
【図７】押圧板を説明するための斜視図である。
【図８】従来例を説明するための説明図である。
【符号の説明】
【００６６】
９０    原稿
９１    ＭＩＣＲ情報
１００  給紙部
１０１  押圧板
１０２  第１排紙部
１０３  第２排紙部
１０４  給紙ローラ
１０５  給送ローラ
１０６  情報読取部
１０７  分離ローラ
１０８  画像読取部
１１０  搬送路
１１１  バネ
１１２  レジストセンサ
３００  画像読取装置
３０１  ホストコンピュータ
５００  ＣＰＵ
５０１  押圧検出部
５０２  給紙制御部
５０３  給送制御部
５０４  画像読取制御部
５０５  情報読取制御部
５０６  搬送制御部
５０７  通信制御部
【図１】
2010052869.tif 000003
【図２】
2010052869.tif 000004
【図３】
2010052869.tif 000005
【図４】
2010052869.tif 000006
【図５】
2010052869.tif 000007
【図６】
2010052869.tif 000008
【図７】
2010052869.tif 000009
【図８】
2010052869.tif 000010